(57)【要約】      （修正有）【課題】収容室内からオイルミストを回収する時間を短くすることができる医療用ハンドピースの給油メンテナンス装置を提供する。【解決手段】医療用ハンドピースの給油メンテナンス装置１は、医療用ハンドピースを収容する収容室ＩＳが設けられた筐体１０と、筐体１０の収容室ＩＳに連通する管路ＲＰとを備えている。管路ＲＰは、医療用ハンドピースを経由して収容室ＩＳに流入したオイルミストを回収するように構成されている。管路ＲＰは、オイルミストを吸引するエジェクタＥＰを含んでいる。【選択図】図５
2019208739.tif 000002
【特許請求の範囲】
【請求項１】
医療用ハンドピースの給油メンテナンス装置であって、
前記医療用ハンドピースを収容する収容室が設けられた筐体と、
前記筐体の前記収容室に連通する管路とを備え、
前記管路は、前記医療用ハンドピースを経由して前記収容室に流入したオイルミストを回収するように構成されており、
前記管路は、前記オイルミストを吸引するエジェクタを含む、医療用ハンドピースの給油メンテナンス装置。
【請求項２】
前記エジェクタは、前記収容室の上部に連通するように配置されている、請求項１に記載の医療用ハンドピースの給油メンテナンス装置。
【請求項３】
前記管路は、前記エジェクタに接続されたオイル回収管を含み、
前記オイル回収管は、内面の表面積を大きくしている、請求項１または２に記載の医療用ハンドピースの給油メンテナンス装置。
【請求項４】
前記オイル回収管は、蛇腹状に構成された蛇腹管を含む、請求項３に記載の医療用ハンドピースの給油メンテナンス装置。
【請求項５】
前記筐体の底部に着脱可能なオイル回収容器をさらに備え、
前記オイル回収容器は、前記管路を通過した前記オイルミストからオイルを回収するように構成されている、請求項１〜４のいずれか１項に記載の医療用ハンドピースの給油メンテナンス装置。
【請求項６】
前記オイル回収容器内に配置されたオイル吸着部材をさらに備え、
前記オイル吸着部材は、前記オイル回収容器に回収された前記オイルを吸着するように構成されている、請求項５に記載の医療用ハンドピースの給油メンテナンス装置。
【発明の詳細な説明】
【技術分野】
【０００１】
本発明は、医療用ハンドピースの給油メンテナンス装置に関するものである。
【背景技術】
【０００２】
医療用ハンドピースの給油メンテナンス装置は、例えば特許第４５１４７１３号公報（特許文献１）に提案されている。この公報に記載された医療用ハンドピースの給油メンテナンス装置では、メンテナンス時に、医療用ハンドピースに油（潤滑油）が供給される。その後、医療用ハンドピースに空気が供給される。これにより、医療用ハンドピースに残留する油が排出される。医療用ハンドピースから排出された油は、医療用ハンドピースを収容する収容室に落下し回収される。
【先行技術文献】
【特許文献】
【０００３】
【特許文献１】特許第４５１４７１３号公報
【発明の概要】
【発明が解決しようとする課題】
【０００４】
上記公報に記載された医療用ハンドピースの給油メンテナンス装置では、医療用ハンドピースに空気が供給されることより医療用ハンドピースに残留する油が排出される。このため、医療用ハンドピースから排出された油は、微粒子化して空気中に浮遊する。この微粒子化して空気中に浮遊する油をオイルミストという。オイルミストは収容室内に充満するため、オイルミストが収容室のたとえば底面に落下して回収されるまでの時間が長くなる。
【０００５】
本発明は上記課題に鑑みてなされたものであり、その目的は、収容室内からオイルミストを回収する時間を短くすることができる医療用ハンドピースの給油メンテナンス装置を提供することである。
【課題を解決するための手段】
【０００６】
本発明の医療用ハンドピースの給油メンテナンス装置は、医療用ハンドピースを収容する収容室が設けられた筐体と、筐体の収容室に連通する管路とを備えている。管路は、医療用ハンドピースを経由して収容室に流入したオイルミストを回収するように構成されている。管路は、オイルミストを吸引するエジェクタを含んでいる。
【発明の効果】
【０００７】
本発明の医療用ハンドピースの給油メンテナンス装置によれば、管路がオイルミストを吸引するエジェクタを含んでいる。このため、エジェクタがオイルミストを吸引することにより、収容室内からオイルミストを回収する時間を短くすることができる。
【図面の簡単な説明】
【０００８】
【図１】本発明の一実施の形態における医療用ハンドピースの給油メンテナンス装置の構成を概略的に示す斜視図である。
【図２】図１に示される医療用ハンドピースの給油メンテナンス装置の開閉扉が開いた状態を概略的に示す斜視図である。
【図３】図２に示される医療用ハンドピースの給油メンテナンス装置に医療用ハンドピースが装着された状態を概略的に示す斜視図である。
【図４】図１に示される医療用ハンドピースの給油メンテナンス装置の流体回路図である。
【図５】図１に示される医療用ハンドピースの給油メンテナンス装置の構成を概略的に示す部分断面側面図である。
【図６】図５のＶＩ部分の拡大図である。
【図７】本発明の一実施の形態における医療用ハンドピースの給油メンテナンス装置の管路の構成を概略的に示す断面図である。
【図８】本発明の一実施の形態における変形例１の医療用ハンドピースの給油メンテナンス装置の管路の構成を概略的に示す断面図である。
【図９】図５のＩＸ部分に対応する部分での拡大断面図である。
【図１０】図９に示されるオイル回収容器の分解斜視図である。
【図１１】本発明の一実施の形態における医療用ハンドピースの給油メンテナンス装置の制御ブロック図である。
【図１２】本発明の一実施におけるメンテナンス処理の一例を示すフローチャートである。
【発明を実施するための形態】
【０００９】
以下、本発明の実施の形態について図に基づいて説明する。なお、以下の図においては、同一または相当する部分に同一の符号を付すものとし、重複する説明は繰り返さない。
【００１０】
まず、本発明の一実施の形態における医療用ハンドピースの給油メンテナンス装置の構成について説明する。本実施の形態では、医療用ハンドピースの一例として歯科用ハンドピースについて説明する。
【００１１】
図１〜図３を参照して、本実施の形態における医療用ハンドピースＨＰの給油メンテナンス装置１は、筐体１０と、開閉扉２０と、マニホールド３０と、チャックメンテナンス部４０と、スイッチ６０、電源スイッチ７０とを備えている。図３では、説明の便宜のため、医療用ハンドピースＨＰが図示されている。医療用ハンドピースＨＰは、メンテナンス処理の対象となる。医療用ハンドピースＨＰは、ドライブエア、給水、スプレーエア、排気の各流路を有している。また、図３では医療用ハンドピースＨＰとして、第１ハンドピースＨＰ１〜第４ハンドピースＨＰ４が図示されている。
【００１２】
筐体１０は、前面部１１と、側面部１２と、天井部１３と、底部１４とを有している。筐体１０には、医療用ハンドピースＨＰを収容する収容室ＩＳが設けられている。収容室ＩＳは、収容室ＩＳ内と収容室ＩＳ外とを連通する開口部ＯＰを有している。開口部ＯＰから収容室ＩＳの内部が露出している。
【００１３】
開閉扉２０は、収容室ＩＳの開口部ＯＰに対して開閉可能に構成されている。開閉扉２０は、収容室ＩＳを覆うように構成されている。開閉扉２０は、筐体１０の前面部１１に配置されている。開閉扉２０は、開閉扉２０の下端部において筐体１０の底部１４に開閉可能に支持されている。開閉扉２０は、図２および図３中矢印Ａ１方向に開閉するように構成されている。
【００１４】
マニホールド３０は、筐体１０の収容室ＩＳ内において医療用ハンドピースＨＰに接続されるように構成されている。マニホールド３０は、接続部３１と、接続部３１に接続されるアダプタ５０とを有している。本実施の形態では、マニホールド３０は複数の接続部３１および複数のアダプタ５０を有している。複数の接続部３１の各々に複数のアダプタ５０の各々が接続されている。接続部３１およびアダプタ５０は、収容室ＩＳ内に配置されている。接続部３１は収容室ＩＳの天面から収容室ＩＳ内に突き出している。アダプタ５０は接続部３１に着脱自在に装着される。アダプタ５０内にはメンテナンス流体である油および空気を流す流路が設けられている。アダプタ５０は医療用ハンドピースＨＰの型式に対応した構成を有している。
【００１５】
医療用ハンドピースＨＰはアダプタ５０によってマニホールド３０に接続される。医療用ハンドピースＨＰは先端側のヘッド部に回転体収容空間を有している。回転体収容空間は回転体（ロータおよびタービン）と、この回転体を支持する軸受部とを収容している。回転体はチャック構成部を有している。チャック構成部の一端の開口から回転切削工具が着脱自在に挿入される。
【００１６】
チャックメンテナンス部４０は、医療用ハンドピースＨＰのチャック構成部にメンテナンス流体を供給するように構成されている。チャックメンテナンス部４０は収容室ＩＳの後面に設けられている。また、収容室ＩＳの後面にはエジェクタＥＰ（図４および図５参照）に連通する開口ＨＬが設けられている。
【００１７】
スイッチ６０は医療用ハンドピースＨＰの給油メンテナンス装置１を操作するように構成されている。電源スイッチ７０は、医療用ハンドピースＨＰの給油メンテナンス装置１への電源からの電気の供給をＯＮまたはＯＦＦするように構成されている。
【００１８】
図４は、本実施の形態における医療用ハンドピースＨＰの給油メンテナンス装置１の流体回路を示している。この流体回路は、マニホールド３０およびチャックメンテナンス部４０にメンテナンス流体である油および空気を供給するように構成されている。図３では、第１ハンドピースＨＰ１〜第４ハンドピースＨＰ４の各々について、ドライブエアＤ、給水Ｗ、スプレーエアＳ、排気Ｅの各流路が示されている。
【００１９】
図４を参照して、本実施の形態における医療用ハンドピースＨＰの給油メンテナンス装置１は、エアフィルタ１０２、減圧装置１０３、流路１０４〜１１６、油供給容器１２１，１２２、電磁弁ＳＶ１，ＳＶ４およびエジェクタＥＰをさらに備えている。
【００２０】
圧縮空気供給源１０１にエアフィルタ１０２が接続されている。エアフィルタ１０２は減圧装置１０３に接続されている。減圧装置１０３は圧縮空気供給源１０１から供給された空気の圧力を減圧するように構成されている。減圧装置１０３に流路１０４が接続されている。流路１０４は流路１０５と流路１０６とに分岐している。流路１０５に電磁弁ＳＶ１が接続されている。流路１０５は流路１０７と流路１０８とに分岐している。流路１０７はマニホールド３０に接続されている。流路１０８はエジェクタＥＰに接続されている。
【００２１】
流路１０６は、流路１１１と流路１１２とに分岐している。流路１１１に電磁弁ＳＶ２が接続されている。流路１１１は油供給容器１２１の開閉弁１２１ａに接続されている。油供給容器１２１の開閉弁１２１ａは流路１１３に接続されている。流路１１３は流路１１４と流路１１５とに分岐している。流路１１４に電磁弁ＳＶ４が接続されている。流路１１４はチャックメンテナンス部４０に接続されている。流路１１５はマニホールド３０に接続されている。
【００２２】
流路１１２に電磁弁ＳＶ３が接続されている。流路１１２は油供給容器１２２の開閉弁１２２ａに接続されている。油供給容器１２２の開閉弁１２２ａは流路１１６に接続されている。流路１１６はマニホールド３０に接続されている。マニホールド３０は、電磁弁ＳＶ２〜ＳＶ１２を有している。
【００２３】
流体回路において、圧縮空気供給源１０１は、エアフィルタ１０２および減圧装置１０３を介して、複数の電磁弁ＳＶ１，ＳＶ２，ＳＶ３に接続されている。電磁弁ＳＶ２，ＳＶ３は、油供給容器１２１，１２２の開閉弁１２１ａ，１２２ａにそれぞれ接続されている。電磁弁ＳＶ２、ＳＶ３によって開閉弁１２１ａ，１２２ａは開閉されるように構成されている。
【００２４】
油供給容器１２１は、電磁弁ＳＶ４を介して、チャックメンテナンス部４０に接続されている。油供給容器１２１は、電磁弁ＳＶ５を介して、第１ハンドピースＨＰ１に接続されており、電磁弁ＳＶ６を介して、第２ハンドピースＨＰ２に接続されている。
【００２５】
油供給容器１２２は、電磁弁ＳＶ７を介して、第３ハンドピースＨＰ３に接続されており、電磁弁ＳＶ８を介して、第４ハンドピースＨＰ４に接続されている。
【００２６】
電磁弁ＳＶ１は、電磁弁ＳＶ９，ＳＶ１０，ＳＶ１１，ＳＶ１２にそれぞれ接続されている。電磁弁ＳＶ９は、第１ハンドピースＨＰ１に接続されている。電磁弁ＳＶ１０は、第２ハンドピースＨＰ２に接続されている。電磁弁ＳＶ１１は、第３ハンドピースＨＰ３に接続されている。電磁弁ＳＶ１２は、第４ハンドピースＨＰ４に接続されている。
【００２７】
マニホールド３０は、電磁弁ＳＶ５を開状態とし、電磁弁ＳＶ９を閉状態とすることで、第１ハンドピースＨＰ１に油を供給するように構成されている。マニホールド３０は、第１ハンドピースＨＰ１油が供給された状態で、電磁弁ＳＶ５を閉状態とし、電磁弁ＳＶ９を開状態とすることで第１ハンドピースＨＰ１に空気を供給することにより第１ハンドピースＨＰ１に供給された油が排出されるように構成されている。
【００２８】
また、マニホールド３０は、電磁弁ＳＶ５および電磁弁ＳＶ９と同様に、電磁弁ＳＶ６〜ＳＶ８の各々を開状態とし、電磁弁ＳＶ１０〜ＳＶ１２の各々を閉状態とすることで、第２ハンドピースＨＰ２〜第４ハンドピースＨＰ４に油を供給するように構成されている。マニホールド３０は、第２ハンドピースＨＰ２〜第４ハンドピースＨＰ４の各々に油が供給された状態で、電磁弁ＳＶ６〜電磁弁ＳＶ８の各々を閉状態とし、電磁弁ＳＶ１０〜電磁弁ＳＶ１２を開状態とすることで第２ハンドピースＨＰ２〜第４ハンドピースＨＰ４の各々に空気を供給することにより第２ハンドピースＨＰ２〜第４ハンドピースＨＰ４に供給された油が排出されるように構成されている。
【００２９】
次に、本実施の形態におけるエジェクタＥＰについてさらに詳しく説明する。
図５を参照して、本実施の形態における医療用ハンドピースＨＰの給油メンテナンス装置１は、管路ＲＰをさらに備えている。管路ＲＰは筐体１０の収容室ＩＳに連通する。具体的には、管路ＲＰは収容室ＩＳに設けられた開口ＨＬに連通している。管路ＲＰは、医療用ハンドピースＨＰを経由して収容室ＩＳに流入したオイルミストを回収するように構成されている。管路ＲＰは、管路ＲＰの先端に設けられた流入口ＲＰ１と、管路ＲＰの後端に設けられた流出口ＲＰ２（図９参照）とを有している。
【００３０】
管路ＲＰは、エジェクタＥＰと、オイル回収管ＢＰとを有している。エジェクタＥＰは、オイルミストを吸引するように構成されている。オイル回収管ＢＰはオイルミストを回収するように構成されている。管路ＲＰの流入口ＲＰ１はエジェクタＥＰの先端に設けられている。管路ＲＰの流出口ＲＰ２（図９参照）はオイル回収管ＢＰの後端に設けられている。本実施の形態では、エジェクタＥＰは、収容室ＩＳの上部に連通するように配置されている。エジェクタＥＰは、収容室ＩＳの高さ方向の中央よりも上側に配置されていることが好ましい。
【００３１】
図５および図６を参照して、エジェクタＥＰは、管路ＲＰの先端に配置されている。エジェクタＥＰは、第１管部ＩＰと、第２管部ＮＰとを有している。第１管部ＩＰは、吸入部ＥＰ１と、混合部ＥＰ２と、ディフューザー部ＥＰ３と、入口ＰＴ１と、出口ＰＴ２とを有している。吸入部ＥＰ１は、入口ＰＴ１側に配置されている。混合部ＥＰ２は、吸入部ＥＰ１とディフューザー部ＥＰ３との間に配置されている。ディフューザー部ＥＰ３は出口ＰＴ２側に配置されている。入口ＰＴ１は、エジェクタＥＰの先端に設けられている。エジェクタＥＰの入口ＰＴ１は管路ＲＰの流入口ＲＰ１を構成している。出口ＰＴ２はエジェクタＥＰの後端に設けられている。
【００３２】
第２管部ＮＰは、吸入口ＰＴ３を有している。第２管部ＮＰは、第１管部ＩＰに接続されている。第２管部ＮＰの吸入口ＰＴ３は第１管部ＩＰの混合部ＥＰ２に連通している。第２管部ＮＰは図示しない流路１０８（図４参照）により圧縮空気供給源１０１に接続されている。
【００３３】
圧縮空気供給源１０１から供給された空気が流路１０８を介して第２管部ＮＰの吸入口ＰＴ３に流入する。図６中矢印で示されるように、第２管部ＮＰの吸入口ＰＴ３に流入した空気は、第１管部ＩＰの混合部ＥＰ２に流入する。混合部ＥＰ２に流入した空気はディフューザー部ＥＰ３に流入する。ディフューザー部ＥＰ３で空気の圧力が低下する。このため、入口ＰＴ１からオイルミストがエジェクタＥＰに吸引される。このようにして、エジェクタＥＰはオイルミストを吸引する。
【００３４】
オイル回収管ＢＰはエジェクタＥＰに接続されている。オイル回収管ＢＰは、エジェクタＥＰの出口ＰＴ２に連通している。オイル回収管ＢＰの後端に管路ＲＰの流出口ＲＰ２（図９参照）が設けられている。図９に示されるように、管路ＲＰの流出口ＲＰ２は、筐体１０の底部１４に配置されている。エジェクタＥＰの入口ＰＴ１から吸引されたオイルミストは、オイル回収管ＢＰを通って流出口ＲＰ２から排出される。流出口ＲＰ２から排出されたオイルは、オイル回収容器ＯＣに回収される。
【００３５】
図７を参照して、本実施の形態における医療用ハンドピースの給油メンテナンス装置１のエジェクタＥＰの構成について説明する。本実施の形態では、エジェクタＥＰは、エジェクタＥＰの流入部の内径Ｄ２がエジェクタＥＰの流出部の内径Ｄ１よりも小さい末広状の管体である。具体的には、エジェクタＥＰの流入部の最小の内径Ｄ２は、エジェクタＥＰの流出部の最大の内径Ｄ１よりも小さいので、エジェクタＥＰは流出部での圧力が下がりオイルミストを管内に吸い込む作用を持つ。
【００３６】
図８を参照して、本実施の形態における変形例１の医療用ハンドピースの給油メンテナンス装置１の管路ＲＰの構成について説明する。本実施の形態における変形例１では、オイル回収管ＢＰは、蛇腹状に構成された蛇腹管ＳＰを含んでいる。蛇腹管ＳＰの内周面は波形に構成されている。オイル回収管ＢＰは、オイル回収容器ＯＣを給油メンテナンス装置１の底部１４に配置した構成においてエジェクタＥＰの流出部とオイル回収管ＢＰとをエジェクタＥＰの流出部の最大の内径Ｄ１と同じ内径の直管で構成するよりも内周の表面積が大きくなるようにされていれば、蛇腹管に代わって、例えば、らせん状管、蓮根状管、多孔質状の管であっても良い。更に、オイル回収容器ＯＣを給油メンテナンス装置１の底部１４に配置するのではなく、外部に配置する構成においては、オイル回収管ＢＰを長く出来るのでエジェクタＥＰの流出部の最大の内径Ｄ１以上の内径の直管で構成しても良く、このような構成では、オイルミストの回収効率を上げることが出来る。
【００３７】
続いて、本実施の形態におけるオイル回収容器ＯＣについてさらに詳しく説明する。
図９および図１０を参照して、本実施の形態における医療用ハンドピースＨＰの給油メンテナンス装置１は、オイル回収容器ＯＣをさらに備えている。なお、説明の便宜のため、図１０ではオイル回収容器ＯＣが底部１４に取り付けられた状態が破線で示されている。オイル回収容器ＯＣは、筐体１０の底部１４に着脱可能に構成されている。オイル回収容器ＯＣは、筐体１０の底部１４に固定された保持部材ＫＰに保持されることにより筐体１０の底部１４に取り付けられている。オイル回収容器ＯＣは、筐体１０の前面部１１から前方に向けて保持部材ＫＰから引き出されることにより筐体１０の底部１４から取り外される。
【００３８】
オイル回収容器ＯＣは、管路ＲＰを通過したオイルミストからオイルを回収するように構成されている。オイル回収容器ＯＣは、貯留部ＯＣ１と、傾斜部ＯＣ２と、開放部ＯＣ３と、溝部ＯＣ４とを有している。貯留部ＯＣ１は、回収されたオイルを貯留するように構成されている。傾斜部ＯＣ２は貯留部ＯＣ１に向けて高さが低くなるように傾斜している。傾斜部ＯＣ２は管路ＲＰの流出口ＲＰ２の真下に配置されている。開放部ＯＣ３は、筐体１０の底部１４との間に隙間をあけて配置されている。溝部ＯＣ４は傾斜部ＯＣ２の上面に設けられている。溝部ＯＣ４は、管路ＲＰの流出口ＲＰ２の真下に配置されている。吸引されたオイルミストは、オイル回収管ＢＰからオイル回収容器ＯＣの上記傾斜部ＯＣ２に設けられた溝部ＯＣ４の上面を通ってオイル吸着部材ＯＭに導かれ、オイル吸着された後の空気が開放部ＯＣ３から放出される。
【００３９】
また、本実施の形態における医療用ハンドピースＨＰの給油メンテナンス装置１は、オイル吸着部材ＯＭをさらに備えている。オイル吸着部材ＯＭは、オイル回収容器ＯＣ内に配置されている。なお、説明の便宜のため、図１０ではオイル吸着部材ＯＭはオイル回収容器ＯＣから取り外された状態で示されている。オイル吸着部材ＯＭは、オイル回収容器ＯＣに回収されたオイルを吸着するように構成されている。オイル吸着部材ＯＭはオイル回収容器ＯＣの貯留部ＯＣ１に配置されている。オイル吸着部材ＯＭは、オイルを吸着する部材である。オイル吸着部材ＯＭ、例えばスポンジである。オイル吸着部材ＯＭを通してオイルミストを外気へ流出させることにより、吸引したオイルミストの流速が落ちることで外気にオイルミストが飛び立つことを防げる効果もある。
【００４０】
次に、本実施の形態における医療用ハンドピースＨＰの給油メンテナンス装置１の動作について説明する。
【００４１】
図１１を参照して、本実施の形態における医療用ハンドピースＨＰの給油メンテナンス装置１は制御部２００をさらに備えている。制御部２００は、医療用ハンドピースＨＰの給油メンテナンス装置１の全体の制御を司るように構成されている。制御部２００は、電磁弁ＳＶ１〜ＳＶ１２を制御するように構成されている。電磁弁ＳＶ１〜ＳＶ１２はそれぞれ制御部２００と電気的に接続されている。電磁弁ＳＶ１〜ＳＶ１２は、スイッチ６０が操作されることにより、制御部２００に含まれるプログラムに基づいて以下のように動作する。
【００４２】
図３に示されるように、マニホールド３０の４つのアダプタ５０にそれぞれ第１ハンドピースＨＰ１〜第４ハンドピースＨＰ４が接続されている。４つの第１ハンドピースＨＰ１〜第４ハンドピースＨＰ４は水で洗浄された状態で４つのアダプタ５０にそれぞれ接続されている。４つの第１ハンドピースＨＰ１〜第４ハンドピースＨＰ４には順番にメンテナンス流体が供給され、４つの第１ハンドピースＨＰ１〜第４ハンドピースＨＰ４がメンテナンス処理される。
【００４３】
さらに図１２を参照して、メンテナンス処理の一例について説明する。このメンテナンス処理の一例では、水抜きブロー、給油、ロングブロー、ステップブロー、ショートブロー、エジェクタ作動の順に各モードが実施される。
【００４４】
水抜きブローにおいては、スイッチ６０（図１参照）が押されると、電磁弁ＳＶ９が開かれる（工程Ｓ１）。これにより、電磁弁ＳＶ９は空気を供給できる状態となる。この状態が０．５秒保持される（工程Ｓ２）。その後、電磁弁ＳＶ１が開かれる（工程Ｓ３）。これにより、圧縮空気供給源１０１から電磁弁ＳＶ１を介して電磁弁ＳＶ９に空気が供給される。そして、電磁弁ＳＶ９を介して第１ハンドピースＨＰ１に空気が供給される。この状態が０．５秒保持される（工程Ｓ４）。これにより、第１ハンドピースＨＰ１に残存した水が排出される。その後、電磁弁ＳＶ１が閉じられる（工程Ｓ５）。この状態が０．５秒保持される（工程Ｓ６）。その後、電磁弁ＳＶ９が閉じられる（工程Ｓ７）。
【００４５】
次に、給油においては、油供給容器１２１から第１ハンドピースＨＰ１に油が供給される。電磁弁ＳＶ５が開かれる（工程Ｓ８）。これにより、電磁弁ＳＶ５は油を供給できる状態となる。この状態が０．５秒保持される（工程Ｓ９）。その後、電磁弁ＳＶ２が開かれる（工程Ｓ１０）。これにより、開閉弁１２１ａが開かれ、油供給容器１２１から電磁弁ＳＶ５に油が供給される。そして、電磁弁ＳＶ５を介して第１ハンドピースＨＰ１に油が供給される。この状態が０．１５秒保持される（工程Ｓ１１）。これにより、第１ハンドピースＨＰ１に油が十分に供給される。その後、電磁弁ＳＶ２が閉じられる（工程Ｓ１２）。この状態が０．９秒保持される（工程Ｓ１３）。その後、電磁弁ＳＶ５が閉じられる（工程Ｓ１４）。
【００４６】
次に、ロングブローにおいては、電磁弁ＳＶ９が開かれた状態で長時間保持される。まず、電磁弁ＳＶ１が開かれる（工程Ｓ１５）。これにより、電磁弁ＳＶ１は圧縮空気供給源１０１から空気を供給できる状態となる。その後、電磁弁ＳＶ９が開かれる（工程Ｓ１６）。これにより、電磁弁ＳＶ９を介して第１ハンドピースＨＰ１に空気が供給される。この状態が８．０秒保持される（工程Ｓ１７）。これにより、第１ハンドピースＨＰ１に残存した余分な油の大部分が排出される。その後、電磁弁ＳＶ９が閉じられる（工程Ｓ１８）。この状態が０．５秒保持される（工程Ｓ１９）。
【００４７】
次に、ステップブローにおいては、電磁弁ＳＶ９が間欠的に開かれることにより、電磁弁ＳＶ９を介して第１ハンドピースＨＰ１に空気が間欠的に供給される。まず、電磁弁ＳＶ９が開かれる（工程Ｓ２０）。これにより、電磁弁ＳＶ９を介して第１ハンドピースＨＰ１に空気が供給される。この状態が０．５秒保持される（工程Ｓ２１）。その後、電磁弁ＳＶ９が閉じられる（工程Ｓ２２）。この状態が０．５秒保持される（工程Ｓ２３）。再び、電磁弁ＳＶ９が開かれる（工程Ｓ２４）。この状態が０．５秒保持される（工程Ｓ２５）。その後、電磁弁ＳＶ９が閉じられる（工程Ｓ２６）。この状態が０．５秒保持される（工程Ｓ２７）。再び、電磁弁ＳＶ９が開かれる（工程Ｓ２８）。この状態が０．５秒保持される（工程Ｓ２９）。その後、電磁弁ＳＶ９が閉じられる（工程Ｓ３０）。この状態が０．５秒保持される（工程Ｓ３１）。再び、電磁弁ＳＶ９が開かれる（工程Ｓ３２）。この状態が０．５秒保持される（工程Ｓ３３）。その後、電磁弁ＳＶ９が閉じられる（工程Ｓ３４）。この状態が０．５秒保持される（工程Ｓ３５）。このように、電磁弁ＳＶ９を介して第１ハンドピースＨＰ１に空気が間欠的に供給されることにより、第１ハンドピースＨＰ１に残存した余分な油がさらに排出される。第１ハンドピースＨＰ１に空気が間欠的に供給されることにより、第１ハンドピースＨＰ１に残存した余分な油が揺動する。これにより、第１ハンドピースＨＰ１に残存した余分な油がさらに排出され易くなる。
【００４８】
次に、ショートブローにおいては、電磁弁ＳＶ９が開かれた状態で短時間保持される。まず、電磁弁ＳＶ９が開かれる（工程Ｓ３６）。これにより、電磁弁ＳＶ９を介して第１ハンドピースＨＰ１に空気が供給される。この状態が１．０秒保持される（工程Ｓ３７）。その後、電磁弁ＳＶ９が閉じられる（工程Ｓ３８）。これにより、第１ハンドピースＨＰ１に残存した油が確実に排出される。
【００４９】
エジェクタ作動では、エジェクタ効果を利用して収容室ＩＳ（図２参照）から油が回収される。エジェクタ作動では、電磁弁ＳＶ９が閉じられた状態が２秒保持される（工程Ｓ３９）。そして、この間にエジェクタＥＰ（図５参照）が作動することにより、収容室ＩＳ（図２参照）からミスト状の油（オイルミスト）が排出される。エジェクタＥＰは、電磁弁ＳＶ１が開かれることにより作動する。そのため、電磁弁ＳＶ１が開かれている間、水抜きフロー、ロングブロー、ステップブロー、ショートブローの各モードにおいてもエジェクタＥＰは作動する。なお、医療用ハンドピースＨＰの給油メンテナンス装置１は回収された油を貯留する回収容器（図示せず）を備えている。収容室ＩＳ（図２参照）から回収された油は回収容器（図示せず）に貯留される。
【００５０】
次に、電磁弁ＳＶ１が閉じられる（工程Ｓ４０）。この状態が０．１秒保持される（工程Ｓ４１）。以上により、第１ハンドピースＨＰ１のメンテナンス処理が終了する。
【００５１】
第２ハンドピースＨＰ２については、上述した第１ハンドピースＨＰ１に関する処理と同様の処理が実施される。ただし、第１ハンドピースＨＰ１の場合には、第１ハンドピースＨＰ１に接続された電磁弁ＳＶ５，ＳＶ９が開閉されたが、第２ハンドピースＨＰ２の場合には、第２ハンドピースＨＰ２に接続された電磁弁ＳＶ６，ＳＶ１０が開閉される。電磁弁ＳＶ６が電磁弁ＳＶ５に対応し、電磁弁ＳＶ１０が電磁弁ＳＶ９に対応する。
【００５２】
第３ハンドピースＨＰ３については、上述した第１ハンドピースＨＰ１に関する処理と同様の処理が実施される。ただし、第１ハンドピースＨＰ１に場合には、電磁弁ＳＶ２が開かれることにより開閉弁１２１ａが開かれ油供給容器１２１から油が供給されたが、第３ハンドピースＨＰ３の場合には、電磁弁ＳＶ３が開かれることにより開閉弁１２２ａが開かれ油供給容器１２２から油が供給される。また、第１ハンドピースＨＰ１の場合には、第１ハンドピースに接続された電磁弁ＳＶ５，ＳＶ９が開閉されたが、第３ハンドピースＨＰ３の場合には、第３ハンドピースＨＰ３に接続された電磁弁ＳＶ７，ＳＶ１１が開閉される。電磁弁ＳＶ７が電磁弁ＳＶ５に対応し、電磁弁ＳＶ１１が電磁弁ＳＶ９に対応する。
【００５３】
第４ハンドピースＨＰ４については、第３ハンドピースＨＰ３に関する処理と同様の処理を実行する。ただし、第３ハンドピースＨＰ３の場合には、第３ハンドピースＨＰ３に接続された電磁弁ＳＶ７，ＳＶ１１が開閉されたが、第４ハンドピースＨＰ４の場合には、第４ハンドピースＨＰ４に接続された電磁弁ＳＶ８，ＳＶ１２が開閉される。電磁弁ＳＶ８が電磁弁ＳＶ７に対応し、電磁弁ＳＶ１２が電磁弁ＳＶ１１に対応する。
【００５４】
次に、本実施の形態における作用効果について説明する。
本実施の形態における医療用ハンドピースＨＰの給油メンテナンス装置１によれば、管路ＲＰがオイルミストを吸引するエジェクタＥＰを含んでいる。このため、エジェクタＥＰがオイルミストを吸引することにより、収容室ＩＳ内からオイルミストを回収する時間を短くすることができる。また、エジェクタＥＰがオイルミストを吸引するため、効率的にオイルミストを回収することができる。
【００５５】
本実施の形態における医療用ハンドピースＨＰの給油メンテナンス装置１によれば、エジェクタＥＰは、収容室ＩＳの上部に連通するように配置されている。したがって、管路ＲＰの流入口ＲＰ１から流出口ＲＰ２までの長さが長くなる。このため、管路ＲＰの内壁に付着するオイルミストが多くなる。これにより、オイル回収効率を上げることができる。
【００５６】
本実施の形態における医療用ハンドピースＨＰの給油メンテナンス装置１によれば、オイル回収管ＢＰは、内周の表面積を大きくしている。したがって、オイル回収管ＢＰの内壁にオイルミストが付着し易い。このため、オイルを回収することが容易となる。
【００５７】
本実施形態における医療用ハンドピースＨＰの給油メンテナンス装置１によれば、オイル回収管ＢＰは、蛇腹状に構成された蛇腹管ＳＰを含んでいる。したがって、蛇腹管ＳＰによりオイル回収管ＢＰの内壁の表面積が増える。このため、オイルミストが接触するオイル回収管ＢＰの接触表面積が増える。これにより、オイル回収効率を上げることができる。
【００５８】
本実施形態における医療用ハンドピースＨＰの給油メンテナンス装置１は、筐体１０の底部１４に着脱可能なオイル回収容器ＯＣを備えている。このため、筐体１０の底部１４に取り付けられたオイル回収容器ＯＣに落下して集められた余分なオイルを回収することができる。さらに、筐体１０の底部１４からオイル回収容器ＯＣを取り外して回収された余分なオイルを廃棄することができる。
【００５９】
本実施の形態における医療用ハンドピースＨＰの給油メンテナンス装置１は、オイル回収容器ＯＣ内に配置されたオイル吸着部材ＯＭをさらに備えている。このため、筐体１０が移動されたり、傾けられたりした場合に、オイル回収容器ＯＣ内からオイルが漏れ出し難くなる。これにより、オイル回収容器ＯＣ内からオイルが漏れ出すことを抑制することができる。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６１】
１  医療用ハンドピースの給油メンテナンス装置、１０  筐体、２０  開閉扉、３０  マニホールド、３１  接続部、４０  チャックメンテナンス部、５０  アダプタ、６０  スイッチ、７０  電源スイッチ、１０１  圧縮空気供給源、１０２  エアフィルタ、１０３  減圧装置、１２１，１２２  油供給容器、１２１ａ，１２２ａ  開閉弁、２００  制御部、ＢＰ  オイル回収管、ＥＰ  エジェクタ、ＨＰ  医療用ハンドピース、ＨＰ１  第１ハンドピース、ＨＰ２  第２ハンドピース、ＨＰ３  第３ハンドピース、ＨＰ４  第４ハンドピース、ＩＳ  収容室、ＯＣ  オイル回収容器、ＯＭ  オイル吸着部材、ＯＰ  開口部、ＲＰ  管路、ＳＰ  蛇腹管、ＳＶ１〜ＳＶ１２  電磁弁。
【図１】
2019208739.tif 000003
【図２】
2019208739.tif 000004
【図３】
2019208739.tif 000005
【図４】
2019208739.tif 000006
【図５】
2019208739.tif 000007
【図６】
2019208739.tif 000008
【図７】
2019208739.tif 000009
【図８】
2019208739.tif 000010
【図９】
2019208739.tif 000011
【図１０】
2019208739.tif 000012
【図１１】
2019208739.tif 000013
【図１２】
2019208739.tif 000014